(57)【要約】【課題】大きなスペースを占めることなく、画像を表示させる際には、画像を見やすく表示させることができる表示装置を提供する。【解決手段】画像を表示させることが可能な表示装置であって、表示パネルと、その表示パネルの前面側または背面側に配置されるバリアと、を備え、その表示パネルは前面に画像を表示させるための複数の画像表示要素部と、背面から前面に光を通過させるための複数の第１の透明部と、を、同一面上に配置して成り、バリアは、複数の画像表示要素部とそれぞれ一対一に対応する複数の光学要素部と、複数の透明部とそれぞれ一対一に対応すると共に、前記バリアの背面から前面にそれぞれ光を通過させたり、それら光を遮断したりするための複数のシャッタ部と、を、同一面上に配置して成る。【選択図】図１
2008112060.tif 000002
【特許請求の範囲】
【請求項１】
画像を表示させることが可能な表示装置であって、
表示パネルと、該表示パネルの前面側または背面側に配置されるバリアと、を備え、
前記表示パネルは、該表示パネルの前面に画像を表示させるための複数の画像表示要素部と、前記表示パネルの背面から前面に光を通過させるための複数の第１の透明部と、を、同一面上に配置して成り、
前記バリアは、複数の光学要素部と、前記バリアの背面から前面にそれぞれ光を通過させたり、それら光を遮断したりするための複数の第１のシャッタ部と、を、同一面上に配置して成ることを特徴とする表示装置。
【請求項２】
請求項１に記載の表示装置において、
前記光学要素部は、それぞれ、前記バリアの背面から前面に光を通過させたり、それら光を遮断したりするための第２のシャッタ部であることを特徴とする表示装置。
【請求項３】
請求項１に記載の表示装置において、
前記光学要素部は、それぞれ、前記バリアの背面から前面に光を通過させるための第２の透明部であることを特徴とする表示装置。
【請求項４】
請求項１ないし請求項３のうちの任意の一つに記載の表示装置において、
前記バリアにおける複数の前記光学要素部は、前記表示パネルにおける複数の前記画像表示要素部とそれぞれ一対一に対応すると共に、前記バリアにおける複数の前記第１のシャッタ部は、前記表示パネルにおける複数の前記第１の透明部とそれぞれ一対一に対応することを特徴とする表示装置。
【請求項５】
請求項１ないし請求項３のうちの任意の一つに記載の表示装置において、
前記画像表示要素部と前記第１の透明部とは、前記表示パネルにおける水平方向及び垂直方向のうち、少なくとも一方向において、交互に配置されていると共に、
前記光学要素部と前記第１のシャッタ部とは、前記バリアにおける水平方向及び垂直方向のうち、少なくとも一方向において、交互に配置されていることを特徴とする表示装置。
【請求項６】
請求項５に記載の表示装置において、
前記画像表示要素部と前記第１の透明部とは、市松状になるように配置されていると共に、
前記光学要素部と前記第１のシャッタ部とは、市松状になるように配置されていることを特徴とする表示装置。
【請求項７】
請求項５に記載の表示装置において、
前記画像表示要素部と前記第１の透明部とは、ストライプ状になるように配置されていると共に、
前記光学要素部と前記第１のシャッタ部とは、ストライプ状になるように配置されていることを特徴とする表示装置。
【請求項８】
請求項１ないし請求項３のうちの任意の一つに記載の表示装置において、
前記表示パネルは、それぞれ正方形を成す複数の画素を有し、各画素は、それぞれ、赤色，緑色，青色を各々表示するための少なくとも３つの画像表示要素部と、少なくとも１つの第１の透明部と、を含むことを特徴とする表示装置。
【請求項９】
請求項１または請求項３に記載の表示装置において、
複数の前記画像表示要素部によって前記画像を表示させない場合には、複数の前記第１のシャッタ部が、それぞれ、前記光を通過させ、複数の前記画像表示要素部によって前記画像を表示させる場合には、複数の前記第１のシャッタ部が、それぞれ、前記光を遮断することを特徴とする表示装置。
【請求項１０】
請求項２に記載の表示装置において、
複数の前記画像表示要素部によって前記画像を表示させない場合には、複数の前記第１のシャッタ部が、それぞれ、前記光を通過させると共に、複数の前記第２のシャッタ部が、それぞれ、前記光を遮断し、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させることを特徴とする表示装置。
【請求項１１】
請求項２に記載の表示装置において、
複数の前記画像表示要素部によって前記画像を表示させない場合には、複数の前記第１のシャッタ部及び複数の前記第２のシャッタ部は、それぞれ、前記光を遮断すると共に、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させることを特徴とする表示装置。
【請求項１２】
請求項２に記載の表示装置において、
複数の前記画像表示要素部によって前記画像を表示させない場合には、複数の前記第１のシャッタ部及び複数の前記第２のシャッタ部は、それぞれ、前記光を通過させると共に、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させることを特徴とする表示装置。
【請求項１３】
請求項１ないし請求項３のうちの任意の一つに記載の表示装置において、
前記バリアが、前記表示パネルの前面側に配置されている場合、隣接する前記画像表示要素部同士の間隔は、隣接する前記光学要素部同士の間隔と同じか、その間隔より広く、
前記バリアが、前記表示パネルの背面側に配置されている場合、隣接する前記画像表示要素部同士の間隔は、隣接する前記光学要素部同士の間隔と同じか、その間隔より狭いことを特徴とする表示装置。
【請求項１４】
画像を表示させることが可能な表示装置であって、
表示パネルと、該表示パネルの背面側に配置される面光源と、該表示パネルの前面側、該表示パネルと前記面光源との間、及び該面光源の背面側のうち、何れかの箇所に配置されるバリアと、を備え、
前記表示パネルは、該表示パネルの前面に画像を表示させるための複数の画像表示要素部と、前記表示パネルの背面から前面に光を通過させるための複数の第１の透明部と、を、同一面上に配置して成り、
前記面光源は、前記面光源の前面からそれぞれ光を照射する複数の発光部と、前記面光源の背面から前面にそれぞれ光を通過させるための複数の第２の透明部と、を、同一面上に配置して成り、
前記バリアは、複数の光学要素部と、前記バリアの背面から前面にそれぞれ光を通過させたり、それら光を遮断したりするための複数の第１のシャッタ部と、を、同一面上に配置して成ることを特徴とする表示装置。
【請求項１５】
請求項１４に記載の表示装置において、
前記光学要素部は、それぞれ、前記バリアの背面から前面に光を通過させたり、それら光を遮断したりするための第２のシャッタ部であることを特徴とする表示装置。
【請求項１６】
請求項１４に記載の表示装置において、
前記光学要素部は、それぞれ、前記バリアの背面から前面に光を通過させるための第３の透明部であることを特徴とする表示装置。
【請求項１７】
請求項１４ないし請求項１６のうちの任意の一つに記載の表示装置において、
前記面光源における複数の前記発光部は、前記表示パネルにおける複数の前記画像表示要素部とそれぞれ一対一に対応すると共に、前記面光源における複数の前記第２の透明部は、前記表示パネルにおける複数の前記第１の透明部とそれぞれ一対一に対応し、
前記バリアにおける複数の前記光学要素部は、前記表示パネルにおける複数の前記画像表示要素部とそれぞれ一対一に対応すると共に、前記バリアにおける複数の前記第１のシャッタ部は、前記表示パネルにおける複数の前記第１の透明部とそれぞれ一対一に対応することを特徴とする表示装置。
【請求項１８】
請求項１４ないし請求項１６のうちの任意の一つに記載の表示装置において、
前記画像表示要素部と前記第１の透明部とは、前記表示パネルにおける水平方向及び垂直方向のうち、少なくとも一方向において、交互に配置されており、
前記発光部と前記第２の透明部とは、前記面光源における水平方向及び垂直方向のうち、少なくとも一方向において、交互に配置されており、
前記光学要素部と前記第１のシャッタ部とは、前記バリアにおける水平方向及び垂直方向のうち、少なくとも一方向において、交互に配置されていることを特徴とする表示装置。
【請求項１９】
請求項１８に記載の表示装置において、
前記画像表示要素部と前記第１の透明部とは、市松状になるように配置されており、
前記発光部と前記第２の透明部とは、市松状になるように配置されており、
前記光学要素部と前記第２のシャッタ部とも、市松状になるように配置されていることを特徴とする表示装置。
【請求項２０】
請求項１８に記載の表示装置において、
前記画像表示要素部と前記第１の透明部とは、ストライプ状になるように配置されており、
前記発光部と前記第２の透明部とは、ストライプ状になるように配置されており、
前記光学要素部と前記第２のシャッタ部とは、ストライプ状になるように配置されていることを特徴とする表示装置。
【請求項２１】
請求項１４または請求項１６に記載の表示装置において、
複数の前記画像表示要素部によって前記画像を表示させない場合には、複数の前記第１のシャッタ部が、それぞれ、前記光を通過させると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断すると共に、複数の前記発光部は、それぞれ、前記面光源の前面から前記光を照射することを特徴とする表示装置。
【請求項２２】
請求項１５に記載の表示装置において、
複数の前記画像表示要素部によって前記画像を表示させない場合には、複数の前記第１のシャッタ部が、それぞれ、前記光を通過させ、複数の前記第２のシャッタ部が、それぞれ、前記光を遮断すると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射することを特徴とする表示装置。
【請求項２３】
請求項１５に記載の表示装置において、
複数の前記画像表示要素部によって前記画像を表示させない場合には、複数の前記第１のシャッタ部及び、複数の前記第２のシャッタ部は、それぞれ、前記光を遮断すると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射することを特徴とする表示装置。
【請求項２４】
請求項１５に記載の表示装置において、
複数の前記画像表示要素部によって前記画像を表示させない場合には、複数の前記第１のシャッタ部及び複数の前記第２のシャッタ部は、それぞれ、前記光を通過させると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射することを特徴とする表示装置。
【請求項２５】
請求項１４ないし請求項１６のうちの任意の一つに記載の表示装置において、
隣接する前記画像表示要素部同士の間隔は、隣接する前記発光部同士の間隔と同じか、その間隔より狭いことを特徴とする表示装置。
【請求項２６】
請求項１４ないし請求項１６のうちの任意の一つに記載の表示装置において、
前記バリアが、前記表示パネルの前面側に配置されている場合、隣接する前記画像表示要素部同士の間隔は、隣接する前記光学要素部同士の間隔と同じか、その間隔より広く、
前記バリアが、前記表示パネルと前記面光源との間または前記面光源の背面側に配置されている場合、隣接する前記画像表示要素部同士の間隔は、隣接する前記光学要素部同士の間隔と同じか、その間隔より狭いことを特徴とする表示装置。
【発明の詳細な説明】
【技術分野】
【０００１】
本発明は、表示パネルに画像を表示させたり、表示パネルの後方を透かしたりすることが可能な表示装置に関するものである。
【背景技術】
【０００２】
図１７は従来における車載用の表示装置を示す概略図である。この表示装置９１０は、液晶ディスプレイパネル９１２と、ハーフミラー９１４と、を備え、車両のインストルメントパネルにおいて、機械式メータ９２０の前方に取り付けられる。
【０００３】
この表示装置９１０では、液晶ディスプレイパネル９１２の画面上に所望の画像を表示させることにより、観視者９３０であるドライバから見ると、機械式メータ９２０の表示の上に、液晶ディスプレイパネル９１２によって表示された画像が重ねて見えることになる。
【０００４】
従って、液晶ディスプレイパネル９１２の画面上に、車両走行中に必要な情報を表示させることにより、観視者９３０であるドライバは、機械式メータ９２０を見るだけで、それらの情報も併せて取得することができる。
【０００５】
なお、この種の表示装置に関連するものとしては、例えば、下記の特許文献１に記載のものが知られている。
【０００６】
【特許文献１】特開２００４−２４９７５３号公報
【発明の開示】
【発明が解決しようとする課題】
【０００７】
しかしながら、上記した従来技術においては、図１７に示すように、観視者９３０と機械式メータ９２０と結ぶラインに対して、液晶ディスプレイパネル９１２は、直交にするように配置され、それに伴い、ハーフミラー９１４もそのラインに対して４５度傾けて配置されるため、表示装置９１０自体の奥行きが長くなり、表示装置９１０の占めるスペースが大きくなってしまうという問題があった。
【０００８】
また、ハーフミラー９１４を用いているため、液晶ディスプレイパネル９１２によって画像を表示する際には、必ず、機械式メータ９２０の表示が見えてしまうため、観視者９３０にとって、表示される画像が見えにくいという問題もあった。
【０００９】
従って、本発明の目的は、上記した従来技術の問題点を解決し、大きなスペースを占めることなく、画像を表示させる際には、画像を見やすく表示させることができる表示装置を提供することにある。
【課題を解決するための手段】
【００１０】
上記した目的の少なくとも一部を達成するために、本発明の第１の表示装置は、画像を表示させることが可能な表示装置であって、表示パネルと、該表示パネルの前面側または背面側に配置されるバリアと、を備え、前記表示パネルは、該表示パネルの前面に画像を表示させるための複数の画像表示要素部と、前記表示パネルの背面から前面に光を通過させるための複数の第１の透明部と、を、同一面上に配置して成り、前記バリアは、複数の光学要素部と、前記バリアの背面から前面にそれぞれ光を通過させたり、それら光を遮断したりするための複数の第１のシャッタ部と、を、同一面上に配置して成ることを要旨とする。
【００１１】
このように、第１の表示装置では、複数の画像表示要素部によって、表示パネルに画像を表示させることができる。また、複数の第１のシャッタ部によって、バリアの背面から前面への光を通過させたり、遮断したりすることにより、表示装置を前面から見た場合に、表示装置の後方にある背景（例えば、表示装置が機械式メータの前方には位置されている場合には、その機械式メータの表示）を透かして見せたり、見えなくしたりすることができる。さらに、第１の表示装置では、ハーフミラーを用いていないため、表示装置自体の奥行きを短くすることができ、表示装置の占めるスペースを小さくすることができる。
【００１２】
本発明の第１の表示装置において、前記光学要素部は、それぞれ、前記バリアの背面から前面に光を通過させたり、それら光を遮断したりするための第２のシャッタ部であることが好ましい。
【００１３】
このように、光学要素部が第２のシャッタ部であって、例えば、画像表示要素部に対応して、バリアの背面から前面への光を通過させたり、遮断したりすることにより、表示パネルに画像を表示させる際には、表示装置を前面から見た場合に、画像を見やすくしたり、画像を表示させない場合には、表示装置の後方にある背景を見やすくしたりすることができる。
【００１４】
本発明の第１の表示装置において、前記光学要素部は、それぞれ、前記バリアの背面から前面に光を通過させるための第２の透明部であってもよい。
【００１５】
こうすることにより、表示パネルに画像を表示させる際には、表示装置を前面から見た場合に、画像を見やすくすることができる。
【００１６】
本発明の第１の表示装置において、前記バリアにおける複数の前記光学要素部は、前記表示パネルにおける複数の前記画像表示要素部とそれぞれ一対一に対応すると共に、前記バリアにおける複数の前記第１のシャッタ部は、前記表示パネルにおける複数の前記第１の透明部とそれぞれ一対一に対応することが好ましい。
【００１７】
このように、光学要素部と画像表示要素部とが一対一に対応することにより、対応する光学要素部と画像表示要素部との間で有効に光のやり取りを行うようにすることができる。また、第１のシャッタ部と第１の透明部が一対一に対応することにより、対応する第１のシャッタ部と第１の透明部との間で有効に光のやり取りを行うようにすることができる。
【００１８】
本発明の第１の表示装置において、前記画像表示要素部と前記第１の透明部とは、前記表示パネルにおける水平方向及び垂直方向のうち、少なくとも一方向において、交互に配置されていると共に、前記光学要素部と前記第１のシャッタ部とは、前記バリアにおける水平方向及び垂直方向のうち、少なくとも一方向において、交互に配置されていることが好ましい。
【００１９】
このように配置することにより、表示装置を前面から見た場合に、画像を表示する場合における表示される画像と、画像を表示しない場合における表示装置の後方にある背景と、をバランスよく見せることができると共に、画質を向上させることができる。
【００２０】
本発明の第１の表示装置において、前記画像表示要素部と前記第１の透明部とは、市松状になるように配置されていると共に、前記光学要素部と前記第１のシャッタ部とは、市松状になるように配置されているが好ましい。また、前記画像表示要素部と前記第１の透明部とは、ストライプ状になるように配置されていると共に、前記光学要素部と前記第１のシャッタ部とは、ストライプ状になるように配置されていてもよい。
【００２１】
このように配置することにより、表示装置を前面から見た場合に、画像を表示する場合における表示される画像と、画像を表示しない場合における表示装置の後方にある背景と、をよりバランスよく見せることができると共に、画質もより向上させることができる。
【００２２】
本発明の第１の表示装置において、前記表示パネルは、それぞれ正方形を成す複数の画素を有し、各画素は、それぞれ、赤色，緑色，青色を各々表示するための少なくとも３つの画像表示要素部と、少なくとも１つの第１の透明部と、を含むことが好ましい。
【００２３】
このように構成することにより、画像を表示させる際に、カラー画像を解像度の劣化無く表示させることができる。
【００２４】
本発明の第１の表示装置において、複数の前記画像表示要素部によって前記画像を表示させない場合には、複数の前記第１のシャッタ部が、それぞれ、前記光を通過させ、複数の前記画像表示要素部によって前記画像を表示させる場合には、複数の前記第１のシャッタ部が、それぞれ、前記光を遮断することが好ましい。
【００２５】
このように、表示パネルに画像を表示しない場合には、バリアの背面から前面への光を通過させることにより、表示装置を前面から見た場合、表示装置の後方にある背景（例えば、機械式メータの表示）を透かして見ることができる。一方、表示パネルに画像を表示する場合には、バリアの背面から前面への光を遮断することにより、表示装置を前面から見た場合、表示装置の後方にある背景が見えなくなるため、表示パネルに表示される画像を見やすくすることができる。
【００２６】
本発明の第１の表示装置において、複数の前記画像表示要素部によって前記画像を表示させない場合には、複数の前記第１のシャッタ部が、それぞれ、前記光を通過させると共に、複数の前記第２のシャッタ部が、それぞれ、前記光を遮断し、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させることが好ましい。
【００２７】
このように、表示パネルに画像を表示しない場合には、第１の透明部と対応する第１のシャッタ部によってバリアの背面から前面への光を通過させることにより、表示装置を前面から見た場合、表示装置の後方にある背景（例えば、機械式メータの表示）を透かして見ることができると共に、画像表示要素部と対応する第２のシャッタ部によってバリアの背面から前面への光を遮断することにより、上記背景を見やすくすることができる。一方、表示パネルに画像を表示する場合には、画像表示要素部と対応する第２のシャッタ部によってバリアの背面から前面への光を通過させることにより、表示装置を前面から見た場合、表示パネルに表示される画像を見やすくすることができ、一方、第１の透明部と対応する第１のシャッタ部によってバリアの背面から前面への光を遮断することにより、表示装置の後方にある背景が見えなくなるため、表示パネルに表示される画像をより見やすくすることができる。
【００２８】
本発明の第１の表示装置において、複数の前記画像表示要素部によって前記画像を表示させない場合には、複数の前記第１のシャッタ部も、複数の前記第２のシャッタ部も、それぞれ、前記光を遮断すると共に、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させるようにしてもよい。
【００２９】
このように、表示パネルに画像を表示させない場合には、第１のシャッタ部だけでなく、第２のシャッタ部においても、バリアの背面から前面への光を遮断することにより、表示装置を前面から見た場合に、表示装置の後方にある背景も見えなくなり、あたかも、ブラインドを下ろしたような効果を期待できる。
【００３０】
本発明の第１の表示装置において、複数の前記画像表示要素部によって前記画像を表示させない場合には、複数の前記第１のシャッタ部も、複数の前記第２のシャッタ部も、それぞれ、前記光を通過させると共に、複数の前記画像表示要素部によって前記画像を表示させる場合には、複数の前記第１のシャッタ部が、それぞれ、前記光を遮断すると共に、複数の前記第２のシャッタ部が、それぞれ、前記光を通過させるようにしてもよい。
【００３１】
このように、表示パネルに画像を表示させない場合には、第１のシャッタ部において、バリアの背面から前面への光を通過させると共に、第２のシャッタ部においても、バリアの背面から前面への光を通過させることにより、表示装置を前面から見た場合に、表示装置の後方にある背景をより明るく見せることができる。
【００３２】
本発明の第１の表示装置において、前記バリアが、前記表示パネルの前面側に配置されている場合、隣接する前記画像表示要素部同士の間隔は、隣接する前記光学要素部同士の間隔と同じか、その間隔より広く、前記バリアが、前記表示パネルの背面側に配置されている場合、隣接する前記画像表示要素部同士の間隔は、隣接する前記光学要素部同士の間隔と同じか、その間隔より狭いことが好ましい。
【００３３】
このように構成することにより、表示装置の前方において、表示パネルに表示される画像がムラ無く適正に見える範囲を広げることができる。
【００３４】
本発明の第２の表示装置は、画像を表示させることが可能な表示装置であって、表示パネルと、該表示パネルの背面側に配置される面光源と、該表示パネルの前面側、該表示パネルと前記面光源との間、及び該面光源の背面側のうち、何れかの箇所に配置されるバリアと、を備え、前記表示パネルは、該表示パネルの前面に画像を表示させるための複数の画像表示要素部と、前記表示パネルの背面から前面に光を通過させるための複数の第１の透明部と、を、同一面上に配置して成り、前記面光源は、前記面光源の前面からそれぞれ光を照射する複数の発光部と、前記面光源の背面から前面にそれぞれ光を通過させるための複数の第２の透明部と、を、同一面上に配置して成り、前記バリアは、複数の光学要素部と、前記バリアの背面から前面にそれぞれ光を通過させたり、それら光を遮断したりするための複数の第１のシャッタ部と、を、同一面上に配置して成ることを要旨とする。
【００３５】
このように、第２の表示装置においても、複数の画像表示要素部によって、表示パネルに画像を表示させることができる。また、複数の第１のシャッタ部によって、表示パネルの背面から前面への光を通過させたり、遮断したりすることにより、表示装置を前面から見た場合に、表示装置の後方にある背景（例えば、機械式メータの表示）を透かして見せたり、見えなくしたりすることができる。また、複数の発光部によって、表示パネルを背面から照明することにより、表示パネルに表示される画像を明るく見せることができる。さらに、第２の表示装置においても、ハーフミラーを用いていないため、表示装置自体の奥行きを短くすることができ、表示装置の占めるスペースを小さくすることができる。また、上記の構成を採用することにより、表示パネルに表示される画像または表示装置の後方にある背景を、所定の観視位置では観視でき、他の位置では観視できないようにすることができる。
【００３６】
本発明の第２の表示装置において、前記光学要素部は、それぞれ、前記バリアの背面から前面に光を通過させたり、それら光を遮断したりするための第２のシャッタ部であることが好ましい。
【００３７】
このように、光学要素部が第２のシャッタ部であって、例えば、画像表示要素部に対応して、バリアの背面から前面への光を通過させたり、遮断したりすることにより、表示パネルに画像を表示させる際には、表示装置を前面から見た場合に、画像を見やすくしたり、画像を表示させない場合には、表示装置の後方にある背景を見やすくしたりすることができる。
【００３８】
本発明の第２の表示装置において、前記光学要素部は、それぞれ、前記バリアの背面から前面に光を通過させるための第３の透明部であってもよい。
【００３９】
こうすることにより、表示パネルに画像を表示させる際には、表示装置を前面から見た場合に、画像を見やすくすることができる。
【００４０】
本発明の第２の表示装置において、前記面光源における複数の前記発光部は、前記表示パネルにおける複数の前記画像表示要素部とそれぞれ一対一に対応すると共に、前記面光源における複数の前記第２の透明部は、前記表示パネルにおける複数の前記第１の透明部とそれぞれ一対一に対応し、前記バリアにおける複数の前記光学要素部は、前記表示パネルにおける複数の前記画像表示要素部とそれぞれ一対一に対応すると共に、前記バリアにおける複数の前記第１のシャッタ部は、前記表示パネルにおける複数の前記第１の透明部とそれぞれ一対一に対応することが好ましい。
【００４１】
このように、発光部と画像表示要素部とが一対一に対応することにより、発光部からの光を、対応する画像表示要素部に有効に入射させることができる。また、第２の透明部とシャッタ部とが一対一に対応することにより、第２の透明部を通過した光も、対応するシャッタ部に有効に入射させることができる。一方、光学要素部と画像表示要素部とが一対一に対応することにより、対応する光学要素部と画像表示要素部との間で有効に光のやり取りを行うようにすることができる。また、第１のシャッタ部と第１の透明部が一対一に対応することにより、対応する第１のシャッタ部と第１の透明部との間で有効に光のやり取りを行うようにすることができる。
【００４２】
本発明の第２の表示装置において、前記画像表示要素部と前記第１の透明部とは、前記表示パネルにおける水平方向及び垂直方向のうち、少なくとも一方向において、交互に配置されており、前記発光部と前記第２の透明部とは、前記面光源における水平方向及び垂直方向のうち、少なくとも一方向において、交互に配置されており、前記光学要素部と前記第１のシャッタ部とは、前記バリアにおける水平方向及び垂直方向のうち、少なくとも一方向において、交互に配置されていることが好ましい。
【００４３】
このように配置することにより、表示装置を前面から見た場合に、画像を表示する場合における表示される画像と、画像を表示しない場合における表示装置の後方にある背景と、をバランスよく見せることができ、画質を向上させることができると共に、発光部からの光を有効に利用することができる。
【００４４】
本発明の第２の表示装置において、前記画像表示要素部と前記第１の透明部とは、市松状になるように配置されており、前記発光部と前記第２の透明部とは、市松状になるように配置されており、前記光学要素部と前記第２のシャッタ部とは、市松状になるように配置されていることが好ましい。また、前記画像表示要素部と前記第１の透明部とは、ストライプ状になるように配置されており、前記発光部と前記第２の透明部とは、ストライプ状になるように配置されており、前記光学要素部と前記第２のシャッタ部とは、ストライプ状になるように配置されていてもよい。
【００４５】
このように配置することにより、表示装置を前面から見た場合に、画像を表示する場合における表示される画像と、画像を表示しない場合における表示装置の後方にある背景と、をよりバランスよく見せることができ、画質もより向上させることができると共に、発光部からの光もより有効に利用することができる。
【００４６】
本発明の第２の表示装置において、複数の前記画像表示要素部によって前記画像を表示させない場合には、複数の前記第１のシャッタ部が、それぞれ、前記光を通過させると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断すると共に、複数の前記発光部は、それぞれ、前記面光源の前面から前記光を照射することが好ましい。
【００４７】
このように、表示パネルに画像を表示しない場合には、バリアの背面から前面への光を通過させることにより、表示装置を前面から見た場合、表示装置の後方にある背景（例えば、機械式メータの表示）を透かして見ることができる。また、この際、面光源からの光の照射を停止することにより、表示装置の後方にある背景をより見やすくすることができる。一方、表示パネルに画像を表示する場合には、バリアの背面から前面への光を遮断することにより、表示装置を前面から見た場合、表示装置の後方にある背景が見えなくなるため、表示パネルに表示される画像を見やすくすることができる。また、この際、面光源によって表示パネルを背面から照明することにより、表示パネルに表示される画像を明るく見せることができる。
【００４８】
本発明の第２の表示装置において、複数の前記画像表示要素部によって前記画像を表示させない場合には、複数の前記第１のシャッタ部が、それぞれ、前記光を通過させ、複数の前記第２のシャッタ部が、それぞれ、前記光を遮断すると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射することが好ましい。
【００４９】
このように、表示パネルに画像を表示しない場合には、第１の透明部と対応する第１のシャッタ部によってバリアの背面から前面への光を通過させることにより、表示装置を前面から見た場合、表示装置の後方にある背景（例えば、機械式メータの表示）を透かして見ることができると共に、画像表示要素部と対応する第２のシャッタ部によってバリアの背面から前面への光を遮断することにより、上記背景を見やすくすることができる。また、この際、面光源からの光の照射を停止することにより、上記背景をより見やすくすることができる。一方、表示パネルに画像を表示する場合には、画像表示要素部と対応する第２のシャッタ部によってバリアの背面から前面への光を通過させることにより、表示装置を前面から見た場合、表示パネルに表示される画像を見やすくすることができ、一方、第１の透明部と対応する第１のシャッタ部によってバリアの背面から前面への光を遮断することにより、表示装置の後方にある背景が見えなくなるため、表示パネルに表示される画像をより見やすくすることができる。また、この際、面光源によって表示パネルを背面から照明することにより、表示パネルに表示される画像を明るく見せることができる。
【００５０】
本発明の第２の表示装置において、複数の前記画像表示要素部によって前記画像を表示させない場合には、複数の前記第１のシャッタ部も、複数の前記第２のシャッタ部も、それぞれ、前記光を遮断すると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射するようにしてもよい。
【００５１】
このように、表示パネルに画像を表示させない場合には、第１のシャッタ部だけでなく、第２のシャッタ部においても、バリアの背面から前面への光を遮断することにより、表示装置を前面から見た場合に、表示装置の後方にある背景も見えなくなり、あたかも、ブラインドを下ろしたような効果を期待できる。
【００５２】
本発明の第２の表示装置において、複数の前記画像表示要素部によって前記画像を表示させない場合には、複数の前記第１のシャッタ部も、複数の前記第２のシャッタ部も、それぞれ、前記光を通過させると共に、複数の前記発光部は、それぞれ、前記面光源の前面からの前記光の照射を停止し、複数の前記画像表示要素部によって前記画像を表示させる場合には、複数の前記第１のシャッタ部が、それぞれ、前記光を遮断し、複数の前記第２のシャッタ部が、それぞれ、前記光を通過させると共に、複数の前記発光部は、それぞれ、前記面光源の前面から前記光を照射するようにしてもよい。
【００５３】
このように、表示パネルに画像を表示させない場合には、第１のシャッタ部において、バリアの背面から前面への光を通過させると共に、第２のシャッタ部においても、バリアの背面から前面への光を通過させることにより、表示装置を前面から見た場合に、表示装置の後方にある背景をより明るく見せることができる。
【００５４】
本発明の第２の表示装置において、隣接する前記画像表示要素部同士の間隔は、隣接する前記発光部同士の間隔と同じか、その間隔より狭いことが好ましい。また、前記バリアが、前記表示パネルの前面側に配置されている場合、隣接する前記画像表示要素部同士の間隔は、隣接する前記光学要素部同士の間隔と同じか、その間隔より広く、前記バリアが、前記表示パネルと前記面光源との間または前記面光源の背面側に配置されている場合、隣接する前記画像表示要素部同士の間隔は、隣接する前記光学要素部同士の間隔と同じか、その間隔より狭いことが好ましい。
【００５５】
このように構成することにより、表示装置の前方において、表示パネルに表示される画像がムラ無く適正に見える範囲を広げることができる。
【００５６】
なお、本発明は、上記した表示装置などの装置発明の態様に限ることなく、表示方法などの方法発明としての態様で実現することも可能である。
【発明を実施するための最良の形態】
【００５７】
以下、本発明の実施の形態を実施例に基づいて以下の順序で説明する。
Ａ．第１の実施例：
Ａ−１．実施例の概要：
Ａ−２．実施例の構成：
Ａ−３．実施例の動作：
Ａ−３−１．液晶表示モード：
Ａ−３−２．メータ表示モード：
Ａ−４．寸法の決定方法：
Ａ−５．実施例の効果：
Ｂ．第２の実施例：
Ｂ−１．実施例の概要：
Ｂ−２．実施例の構成：
Ｂ−３．実施例の動作：
Ｂ−３−１．ＥＬ表示モード：
Ｂ−３−２．メータ表示モード：
Ｂ−４．実施例の効果：
Ｃ．変形例：
【００５８】
Ａ．第１の実施例：
Ａ−１．実施例の概要：
図１は本発明の第１の実施例としての表示装置を模式的に示した説明図である。本実施例における表示装置１００は、車載用の表示装置であって、図１に示すように、バリア１３０と、そのバリア１３０の後方に配置される液晶ディスプレイパネル１１０と、その１１０の後方に配置されるバックライト１５０と、コントローラ１７０と、を備えている。これらのうち、バリア１３０，液晶ディスプレイパネル１１０及びバックライト１５０は、車両（図示せず）のインストルメントパネル（図示せず）において、機械式メータ２００の前方に取り付けられる。
【００５９】
コントローラ１７０には、外部より、モード切換信号１７２と、画像信号１７４と、が入力されており、コントローラ１７０は、これらの信号に基づいて、バリア１３０を駆動するためのバリア駆動信号１７５と、液晶ディスプレイパネル１１０を駆動するためのパネル駆動信号１７６と、バックライト１５０を駆動するためのライト駆動信号１７７と、を生成する。表示装置１００は、コントローラ１７０に入力されるモード切換信号１７２に応じて、画像表示モードとして、液晶表示モードと、メータ表示モードと、を切り換えて動作する。
【００６０】
液晶表示モードでは、バックライト１５０が、液晶ディスプレイパネル１１０の背面に光を照射する。液晶ディスプレイパネル１１０は、バックライト１５０からの光を受けて、コントローラ１７０に入力される画像信号１７４に基づき、所望の画像を表示する。バリア１３０は、バックライト１５０から照射され液晶ディスプレイパネル１１０を介した光は、通過させるが、機械式メータ２００からの光は、遮断するように駆動される。この結果、観視者３００であるドライバから見ると、図１（ａ）に示すように、液晶ディスプレイパネル１１０に表示された画像は、バリア１３０を通して見えるが、バックライト１５０の後方にある機械式メータ２００の表示は、バリア１３０に遮られて見えないこととなる。
【００６１】
反対に、メータ表示モードでは、バックライト１５０が、液晶ディスプレイパネル１１０の背面への光の照射を停止する。液晶ディスプレイパネル１１０は、画像の表示を停止する。バリア１３０は、機械式メータ２００からの光を通過させるように駆動される。この結果、観視者３００であるドライバから見ると、図１（ｂ）に示すように、液晶ディスプレイパネル１１０に画像が表示されなくなり、代わりに、バリア１３０，液晶ディスプレイパネル１１０及びバックライト１５０を透かして、バックライト１５０の後方にある機械式メータ２００の表示は見えることとなる。
【００６２】
Ａ−２．実施例の構成：
図２及び図３は、それぞれ図１におけるバリア１３０，液晶ディスプレイパネル１１０及びバックライト１５０の断面を模式的に示した説明図である。このうち、図２は液晶表示モード時の状態を、図３はメータ表示モード時の状態を、それぞれ示している。
【００６３】
これら図に示すように、バリア１３０は、液晶層１３２を２枚のガラス基板１３３，１３４によって挟持することにより構成されている。このうち、液晶層１３２は、液晶及び配向膜（図示せず）を備えており、面方向において、メインシャッタ部１３６と、サブシャッタ部１３８と、に分かれている。そして、複数のメインシャッタ部１３６と複数のサブシャッタ部１３８は、面方向において、互いに交互に並んでいる。なお、バリア１３０は、その他、透明電極、偏光フィルタ、走査線駆動回路及びデータ線駆動回路などもを備えているが、図では省略されている。
【００６４】
これらのうち、各メインシャッタ部１３６及び各サブシャッタ部１３８は、それぞれ、液晶駆動によって、開放状態と遮断状態とで切り換わり、開放状態では、バリア１３０の背面から前面に光を通過させ、遮断状態では、それらの光を遮断する。但し、メインシャッタ部１３６とサブシャッタ部１３８とは、状態が互いに反対になるように切り換わる。すなわち、メインシャッタ部１３６が開放状態になる場合には、サブシャッタ部１３８は遮断状態となるように、メインシャッタ部１３６が遮断状態になる場合には、サブシャッタ部１３８は開放状態となるように、それぞれ、切り換わる。
【００６５】
液晶ディスプレイパネル１１０は、その両者を２枚のガラス基板１１６，１１８によって挟持され、液晶層１１２の前面に位置するガラス基板１１８にフィルタ層１１４を配置することにより構成されている。このうち、液晶層１１２は、面方向において、画像表示要素部１２０と透明部１２２とに分かれており、画像表示要素部１２０は、液晶及び配向膜（図示せず）で構成されており、透明部１２２は、透明な樹脂またはガラスで構成されている。そして、複数の画像表示要素部１２０と複数の透明部１２２とは、面方向において、互いに交互に並んでいる。また、フィルタ層１１４には、各々の画像表示要素部１２０の前面に位置する部分に、それぞれ、赤色（Ｒ），青色（Ｂ），緑色（Ｂ）の３色の色フィルタ１２４Ｒ，１２４Ｇ，１２４Ｂのうち、何れかの色の色フィルタが配置されており、それ以外の部分、すなわち、各々の透明部１２２の前面に位置する部分には、光が透過するように透明部１２５が配置されている。なお、液晶ディスプレイパネル１１０は、その他、透明電極、偏光子、走査線駆動回路及びデータ線駆動回路なども備えているが、図では省略されている。
【００６６】
これらのうち、各画像表示要素部１２０は、それぞれ、液晶駆動によって、その前面に配置されるＲＧＢの各色フィルタ１２４Ｒ，１２４Ｇ，１２４Ｂと協働して、カラー画像を表示する。
【００６７】
バックライト１５０は、発光層１５２をガラス基板１５４で支持することにより構成されている。このうち、発光層１５２は、発光部１５６と、透明部１５８と、に分かれており、面方向において、複数の発光部１５６と複数の透明部１５８とが、互いに交互に並んでいる。このうち、各発光部１５６は、それぞれ、エレクトロルミネッセンス（electroluminescence：ＥＬ）デバイスによって構成されており、液晶ディスプレイパネル１１０に向かって、光を照射する。また、各透明部１５８は、それぞれ、透明な樹脂またはガラスで構成されており、バックライト１５０の背面から前面へ向かって光を透過する。尚、バックライト１５０は、発光層１５２に電源を供給するための電極も備えているが、図では省略されている。発光部１５６と機械式メータ２００との間には、遮光部が設けられていることが望ましい。遮光部としては、発光層１５２に電源を供給するための電極であってもよく、例えば、アルミニウム、銀などにより形成される。また、発光部１５６、複数の画像表示要素部１２０、色フィルタ１２４Ｒ，１２４Ｇ，１２４Ｂを介して、視者３００が機械式メータ２００の表示を認識しないように、発光部１５６の発光輝度を調整してもよい。尚、複数のシャッタ部１２２が光を透過する状態となったときに、透明部１２５，１５８、及びシャッタ部１２２を介して、機械式メータ２００の表示を観視者３００が観視できる状態にできればよく、本明細書において透明とは、にごりがない材料で形成されることを意図していない。
【００６８】
図４は図２及び図３におけるバリア１３０を観視者３００側から見て示した説明図であり、図５は図２及び図３における液晶ディスプレイパネル１１０を観視者３００側から見て示した説明図であり、図６は図２及び図３におけるバックライト１５０を観視者３００側から見て示した説明図である。
【００６９】
前述したとおり、バリア１３０において、複数のメインシャッタ部１３６と複数のサブシャッタ部１３８とは、面方向において互いに交互に並んでいるが、具体的には、図４に示すように、互いに市松状に並んでいる。
【００７０】
また、液晶ディスプレイパネル１１０においても、前述したとおり、複数の画像表示要素部１２０と複数の透明部１２２とは、面方向において互いに交互に並んでいるが、具体的には、バリア１３０の場合と同様に、図５に示す如く、互いに市松状に並んでいる。また、各画像表示要素部１２０の前面にあるＲＧＢの各色フィルタ１２４Ｒ，１２４Ｇ，１２４Ｂは、面方向において、それぞれ、均等に分散されるように、配置されている。
【００７１】
本実施例では、図５の左端に示すように、ＲＧＢの各色フィルタ１２４Ｒ，１２４Ｇ，１２４Ｂを前面に備える３つの画像表示要素部１２０と、３つの透明部１２２と、によって、１つの画素を構成しており、液晶ディスプレイパネル１１０において、それらの各画素がそれぞれ正方形（正方画素）を成すように、画像表示要素部１２０及び透明部１２２の形状が設計されている。
【００７２】
さらに、バックライト１５０においても、前述したとおり、複数の発光部１５６と複数の透明部１５８は、面方向において互いに交互に並んでいるが、具体的には、バリア１３０及び液晶ディスプレイパネル１１０の場合と同様に、図６に示す如く、互いに市松状に並んでいる。
【００７３】
図７は図４のバリア１３０におけるメインシャッタ部１３６及びサブシャッタ部１３８と、図５の液晶ディスプレイパネル１１０における画像表示要素部１２０及び透明部１２２と、図６のバックライト１５０における発光部１５６及び透明部１５８と、の位置的な対応関係を示す説明図である。
【００７４】
本実施例では、図７に示すように、液晶ディスプレイパネル１１０における画像表示要素部１２０と、バリア１３０におけるサブシャッタ部１３８とが、位置的にそれぞれ一対一に対応しており、また、液晶ディスプレイパネル１１０における透明部１２２と、バリア１３０におけるメインシャッタ部１３６が、位置的にそれぞれ一対一に対応している。
【００７５】
同様に、液晶ディスプレイパネル１１０における画像表示要素部１２０と、バックライト１５０における発光部１５６とが、位置的にそれぞれ一対一に対応しており、また、液晶ディスプレイパネル１１０における透明部１２２と、バックライト１５０における透明部１５８が、位置的にそれぞれ一対一に対応している。なお、図７では、メインシャッタ部１３６が遮断状態にあり、サブシャッタ部１３８が開放状態にある場合を示している。
【００７６】
なお、本実施例において、液晶ディスプレイパネル１１０は、請求項における表示パネルに、バックライト１５０は、請求項における面光源に、それぞれ、相当する。
【００７７】
Ａ−３．実施例の動作：
Ａ−３−１．液晶表示モード：
コントローラ１７０は、入力されるモード切換信号１７２が液晶表示モードを示している場合には、ライト駆動信号１７７によって、バックライト１５０に対して、各発光部１５６が、それぞれ、画像表示要素部１２０に向かって光を照射するように制御する。また、コントローラ１７０は、バリア駆動信号１７５によって、バリア１３０に対し、各メインシャッタ部１３６が、それぞれ、遮断状態になり、各サブシャッタ部１３８が、それぞれ、開放状態になるように制御する。さらに、コントローラ１７０は、パネル駆動信号１７６によって、液晶ディスプレイパネル１１０に対し、入力される画像信号１７４に基づいて、各画像表示要素部１２０が、それぞれ、各色フィルタ１２４Ｒ，１２４Ｇ，１２４Ｂと協働して、カラー画像を表示するように制御する。
【００７８】
この結果、図２に示すように、バックライト１５０において、各発光部１５６から照射した光は、液晶ディスプレイパネル１１０において、それぞれ、対応する画像表示要素部１２０に入射する。そして、入射した光は、各画像表示要素部１２０にて、それぞれ、画像信号１７４に応じて変調された後、各色フィルタ１２４Ｒ，１２４Ｇ，１２４Ｂを介して、ＲＧＢの各色の光に変換される。さらに、変換して得られたＲＧＢの各色の光は、バリア１３０において、それぞれ、対応するサブシャッタ部１３８に入射する。全ての各サブシャッタ部１３８は、開放状態となっているため、入射した光は、それらサブシャッタ部１３８を通過して、観視者３００に到達する。一方、機械式メータ２００からの光は、バックライト１５０において、各透明部１５８をそれぞれ透過し、液晶ディスプレイパネル１１０において、対応する透明部１２２もそれぞれ透過する。しかし、バリア１３０において、対応するメインシャッタ部１３６は、全て、遮断状態となっているため、バックライト１５０，液晶ディスプレイパネル１１０を透過した光は、バリア１３０において、遮断されてしまい、観視者３００には到達しない。尚、発光部１５６と機械メータ２００との間に遮光部が設けられていれば、光はバックライト１５０を透過しない。
【００７９】
従って、このような液晶表示モードでは、観視者３００であるドライバから見ると、液晶ディスプレイパネル１１０に表示されたカラー画像を、バリア１３０を通して見ることができるが、バックライト１５０の後方にある機械式メータ２００の表示は、バリア１３０で遮られて見ることができない。尚、メインシャッタ部１３６及びサブシャッタ部１３８が、それぞれ、開放状態になるように制御してもよい。このようにすることにより、観視者３００であるドライバから見ると、液晶ディスプレイパネル１１０に表示されたカラー画像を見ることができる他、液晶ディスプレイパネル１１０及びバックライト１５０を透かして、バックライト１５０の後方にある機械式メータ２００の表示を重ねて見ることができる。
【００８０】
Ａ−３−２．メータ表示モード：
一方、コントローラ１７０は、入力されるモード切換信号１７２がメータ表示モードを示している場合には、ライト駆動信号１７８によって、バックライト１５０に対して、各発光部１５６が、それぞれ、画像表示要素部１２０に対する光の照射を停止するように制御する。また、コントローラ１７０は、パネル駆動信号１７６によって、液晶ディスプレイパネル１１０に対し、各画像表示要素部１２０が、それぞれ、画像の表示を停止するように制御する。さらに、コントローラ１７０は、バリア駆動信号１７５によって、バリア１３０に対し、各サブシャッタ部１３８が、それぞれ、遮断状態になり、各メインシャッタ部１３６が、それぞれ、開放状態になるように制御する。
【００８１】
この結果、図３に示すように、機械式メータ２００からの光は、バックライト１５０において、各透明部１５８をそれぞれ透過して、液晶ディスプレイパネル１１０において、対応する透明部１２２もそれぞれ透過する。バリア１３０において、対応するメインシャッタ部１３６は、全て、開放状態となっているため、バックライト１５０，液晶ディスプレイパネル１１０を透過した光は、それらメインシャッタ部１３６通過して、観視者３００に到達する。一方、バックライト１５０において、各発光部１５６からの光の照射は停止しており、また、液晶ディスプレイパネル１１０において、各画像表示要素部１２０による画像の表示も停止している。さらに、バリア１３０において、サブシャッタ部１３８は、全て、遮断状態になっているため、機械式メータ２００からバックライト１５０，液晶ディスプレイパネル１１０を透過した光以外は、サブシャッタ部１３８で、遮断されることになる。
【００８２】
従って、このようなメータ表示モードでは、観視者３００であるドライバから見ると、液晶ディスプレイパネル１１０の表示画像が消え、バリア１３０，液晶ディスプレイパネル１１０及びバックライト１５０を透かして、バックライト１５０の後方にある機械式メータ２００の表示を見ることができる。
【００８３】
Ａ−４．寸法の決定方法：
次に、液晶ディスプレイパネル１１０とバックライト１５０との間の距離や、バックライト１５０における隣接する発光部１５６間の間隔を決定する方法について説明する。
【００８４】
図８及び図９は図１の表示装置１００における液晶ディスプレイパネル１１０とバックライト１５０との間の距離や、バックライト１５０における隣接する発光部１５６間の間隔を決定する方法を説明するための説明図である。
【００８５】
図８及び図９において、観視面３１０は、液晶ディスプレイパネル１１０やバックライト１５０などと平行な平面であって、観視者３００と同じ位置にある面である。
【００８６】
また、図８において、Ａは、表示画像の標準到達範囲を示す。具体的には、液晶表示モード時において、液晶ディスプレイパネル１１０に表示されたカラー画像が適正な表示状態で、観視面３１０面上に到達し得る標準的な範囲である。Ｂは、観視面−液晶ディスプレイパネル間の標準距離を示す。具体的には、液晶ディスプレイパネル１１０から観視面３１０までの標準的に想定される距離である。Ｃは、液晶ディスプレイパネル−バックライト間の距離を示す。具体的には、例えば、液晶ディスプレイパネル１１０の液晶層１１２とバックライト１５０の発光層１５２との間の距離である。Ｄは、隣接する画像表示要素部１２０と透明部１２２との間隔であり、Ｄ×２は、隣接画像表示要素部間の間隔を示す。具体的には、Ｄ×２は、液晶ディスプレイパネル１１０において、隣接する画像表示要素部１２０同士の間の間隔である。Ｅは、発光部１５６と透明部１５８との間隔であり、Ｅ×２は、隣接発光部間の間隔を示す。具体的には、Ｅ×２は、バックライト１５０において、隣接する発光部１５６同士の間の間隔である。
【００８７】
なお、Ａの値は、図８に示すように、機械式メータ２００からバックライト１５０の発光部１５６の中心と液晶ディスプレイパネル１１０の画像表示要素部１２０の中心とを結ぶ線と、透明部１５８の中心と液晶ディスプレイパネル１１０の画像表示要素部１２０の中心とを結ぶ線とが、観察面３１０と交差する点を、それぞれ到達点Ｏ及びＰとしている。Ａの値は、到達点ＰとＯの間の距離に相当する。図２に示す液晶表示モードでは、観視者３００から見ると、到達点Ｏにおいては、液晶ディスプレイパネル１１０に表示されたカラー画像を見る状態とし、到達点Ｐにおいては、液晶ディスプレイパネル１１０に表示されたカラー画像を見えない状態とすることができる。また、図３に示すメータ表示モードにおいて、発光部１５６と機械メータ２００との間に遮光部が設けられており、各サブシャッタ部１３８が、それぞれ、遮断状態になり、各メインシャッタ部１３６が、それぞれ、開放状態であれば、観視者３００から見ると、到達点Ｏにおいては、背景である機械メータ２００を見る状態とし、到達点Ｐにおいては、背景である機械メータ２００を見えない状態とすることができる。
【００８８】
これら値のうち、Ａ，Ｂ，Ｄの各値は、それぞれ、既知の値であり、これら値に基づいて、Ｃ，Ｅの各値を決定するのである。
【００８９】
そこで、図８において、観視面３１０と液晶ディスプレイパネル１１０との間に存在する直角三角形αと、液晶ディスプレイパネル１１０とバックライト１５０との間に存在する直角三角形βと、に着目すると、両者は相似形を成している。従って、式（１）が税率する。
Ａ：Ｂ＝Ｅ：Ｃ      （１）
【００９０】
一方、図８において、観視面３１０と液晶ディスプレイパネル１１０との間に存在する直角三角形γと、観視面３１０とバックライト１５０との間に存在する直角三角形δと、に着目する、と両者は相似形を成している。従って、式（２）が成立する。
Ｂ：Ｄ×２＝（Ｂ＋Ｃ）：Ｅ×２      （２）
【００９１】
従って、これら式（１），（２）の連立方程式を解くことによって、Ｃ，Ｅの各値を求め、決定することができる。
【００９２】
なお、液晶ディスプレイパネル１１０とバリア１３０との間の距離、並びに、バリア１３０における隣接するサブシャッタ部１３８間の間隔についても、上記と同様の方法を用いることにより、決定することができるが、それについての説明は省略する。
【００９３】
また、本実施例においては、図８及び図９に示すように、液晶ディスプレイパネル１１０における隣接画像表示要素部間の間隔は、バックライト１５０における隣接発光部間の間隔よりも、狭くなる（すなわち、Ｄ×２＜Ｅ×２）ように構成され、バリア１３０における隣接するサブシャッタ部間の間隔よりも、広くなるように構成されている。こうすることにより、観視面３１０において、液晶ディスプレイパネル１１０に表示される画像がムラ無く適正に見える範囲を広げることができる。
【００９４】
Ａ−５．実施例の効果：
以上説明したように、本実施例によれば、液晶表示モード時では、バリア１３０において、画像表示要素部１２０に対応するサブシャッタ部１３８が開放状態にあるため、そのサブシャッタ部１３８は、バックライト１５０の発光部１５６から照射され、画像表示要素部１２０を介した光を、通過させるが、透明部１２２に対応するメインシャッタ部１３６は遮断状態にあるため、そのメインシャッタ部１３６は、機械式メータ２００からバックライト１５０の透明部１５８を透過し、さらに透明部１２２を透過した光を、遮断することになる。従って、観視者３００であるドライバから見た場合に、液晶ディスプレイパネル１１０に表示された画像は、バリア１３０を通して見えるが、バックライト１５０の後方にある機械式メータ２００の表示は、バリア１３０に遮られて見えなくなるため、液晶ディスプレイパネル１１０に表示される画像を見やすくすることができる。また、この際、バックライト１５０の発光部１５６によって、液晶ディスプレイパネル１１０の背面を照明するため、液晶ディスプレイパネル１１０に表示される画像を明るく見せることができる。
【００９５】
また、メータ表示モード時では、バリア１３０において、透明部１２２に対応するメインシャッタ部１３６が開放状態になるため、そのメインシャッタ部１３６は、機械式メータ２００からバックライト１５０の透明部１５８を透過し、さらに透明部１２２を透過した光を、通過させることになる。観視者３００であるドライバから見た場合に、バックライト１５０の後方にある機械式メータ２００の表示を透かして見ることができる。一方、画像表示要素部１２０に対応するサブシャッタ部１３８は遮断状態になるため機械式メータ２００からバックライト１５０，液晶ディスプレイパネル１１０を透過した光以外は、バリア１３０で遮られるため、不要な光が観視者３００に到達しないようにすることができる。また、この際、バックライト１５０の発光部１５６からの光の照射を停止することにより、バックライト１５０の後方にある機械式メータ２００の表示をより見やすくすることができる。
【００９６】
さらに、本実施例によれば、表示装置１００がハーフミラーを用いていないため、表示装置１００自体の奥行きを短くすることができ、表示装置１００の占めるスペースを小さくすることができる。
【００９７】
Ｂ．第２の実施例：
Ｂ−１．実施例の概要：
上記した第１の実施例における表示装置１００では、液晶ディスプレイパネル１１０とバックライト１５０とを用いていたが、本実施例では、これらに代えて、シャッタ部付きのエレクトロルミネッセンス（electroluminescence：ＥＬ）ディスプレイパネルを用いるようにしている。
【００９８】
図１０は本発明の第２の実施例としての表示装置を模式的に示した説明図である。本実施例における表示装置１００’も、第１の実施例の場合と同様に、車載用の表示装置であって、図１０に示すように、バリア１３０と、そのバリア１３０の後方に配置されるシャッタ部付きのＥＬディスプレイパネル１４０と、コントローラ１７０’と、を備えている。これらのうち、バリア１３０及びＥＬディスプレイパネル１４０は、車両（図示せず）のインストルメントパネル（図示せず）において、機械式メータ２００の前方に取り付けられる。
【００９９】
コントローラ１７０’には、外部より、モード切換信号１７２と、画像信号１７４と、が入力されており、コントローラ１７０’は、これらの信号に基づいて、バリア１３０を駆動するためのバリア駆動信号１７５と、ＥＬディスプレイパネル１４０を駆動するためのパネル駆動信号１７８を生成する。表示装置１００’は、第１の実施例の場合と同様に、コントローラ１７０に入力されるモード切換信号１７２に応じて、画像表示モードとして、ＥＬ表示モードと、メータ表示モードと、を切り換えて動作する。
【０１００】
ＥＬ表示モードでは、ＥＬディスプレイパネル１４０が、コントローラ１７０に入力される画像信号１７４に基づき、ＥＬデバイスから成る画像表示要素部（図示せず）をそれぞれ発光させて、所望の画像を表示する。バリア１３０は、ＥＬディスプレイパネル１４０からの光は、通過させるが、機械式メータ２００からの光は、遮断するように駆動される。この結果、観視者３００であるドライバから見ると、図１０（ａ）に示すように、ＥＬディスプレイパネル１４０に表示された画像は、バリア１３０を通して見えるが、ＥＬディスプレイパネル１４０の後方にある機械式メータ２００の表示は、バリア１３０に遮られて見えないこととなる。
【０１０１】
反対に、メータ表示モードでは、ＥＬディスプレイパネル１４０が、画像表示要素部による発光を停止させ、画像の表示を停止する。バリア１３０は、機械式メータ２００からの光を通過させるように駆動される。この結果、観視者３００であるドライバから見ると、図１０（ｂ）に示すように、ＥＬディスプレイパネル１４０に画像が表示されなくなり、代わりに、バリア１３０，ＥＬディスプレイパネル１４０を透かして、ＥＬディスプレイパネル１４０の後方にある機械式メータ２００の表示は見えることとなる。
【０１０２】
Ｂ−２．実施例の構成：
図１１及び図１２は、それぞれ図１０におけるバリア１３０及びＥＬディスプレイパネル１４０の断面を模式的に示した説明図である。このうち、図１１はＥＬ表示モード時の状態を、図１２はメータ表示モード時の状態を、それぞれ示している。
【０１０３】
これら図に示すように、ＥＬディスプレイパネル１４０は、ＥＬ層１２６を２枚のガラス基板１１６，１１８によって挟持することにより構成されている。このうち、ＥＬ層１２６は、面方向において、赤色（Ｒ），青色（Ｂ），緑色（Ｂ）の３色に対応する画像表示要素部１２８Ｒ，１２８Ｇ，１２８Ｂと、透明部１２２と、に分かれている。そして、複数の画像表示要素部と複数の透明部１２２とは、面方向において、互いに交互に並んでいる。Ｒに対応する画像表示要素部１２８Ｒは、Ｒの光を発光するＥＬデバイスによって構成されており、Ｂに対応する画像表示要素部１２８Ｂは、Ｂの光を発光するＥＬデバイスによって構成されており、Ｇに対応する画像表示要素部１２８Ｇは、Ｇの光を発光するＥＬデバイスによって構成されている。透明部１２２は、透明な樹脂またはガラスで構成されている。尚、画像表示要素部１２８Ｒ，１２８Ｇ，１２８Ｂに設けられたＥＬデバイスの機械メータ２００側には、遮光層が設けられていることが好ましい。
【０１０４】
これらのうち、ＲＧＢの各画像表示要素部１２８Ｒ，１２８Ｇ，１２８Ｂは、それぞれ、電圧が印加されると、対応する色で発光して、カラー画像を表示する。また、各透明部１２２は、それぞれ、ＥＬディスプレイパネル１４０の背面から前面に光を通過させる。
【０１０５】
なお、バリア１３０の構成は、第１の実施例の場合と同様であるので、それについての説明は省略する。
【０１０６】
本実施例においても、ＥＬディスプレイパネル１４０における画像表示要素部１２８Ｒ，１２８Ｇ，１２８Ｂと、バリア１３０におけるサブシャッタ部１３８とが、位置的にそれぞれ一対一に対応しており、また、ＥＬディスプレイパネル１４０における透明部１２２と、バリア１３０におけるメインシャッタ部１３６が、位置的にそれぞれ一対一に対応している。
【０１０７】
また、本実施例において、ＥＬディスプレイパネル１４０は、請求項における表示パネルに相当する。
【０１０８】
Ｂ−３．実施例の動作：
Ｂ−３−１．ＥＬ表示モード：
コントローラ１７０’は、入力されるモード切換信号１７２がＥＬ表示モードを示している場合には、バリア駆動信号１７５によって、バリア１３０に対し、各メインシャッタ部１３６が、それぞれ、遮断状態になり、各サブシャッタ部１３８が、それぞれ、開放状態になるように制御する。また、コントローラ１７０’は、パネル駆動信号１７８によって、ＥＬディスプレイパネル１４０に対し、入力される画像信号１７４に基づいて、ＲＧＢの各画像表示要素部１２８Ｒ，１２８Ｇ，１２８Ｂが、それぞれ、対応する色で発光して、カラー画像を表示するように制御する。
【０１０９】
この結果、図１１に示すように、ＥＬディスプレイパネル１４０において、画像信号１７４に応じて変調されたＲＧＢの各色の光が、ＲＧＢの各画像表示要素部１２８Ｒ，１２８Ｇ，１２８Ｂから、それぞれ、照射される。そして、照射されたＲＧＢの各色の光は、バリア１３０において、それぞれ、対応する各サブシャッタ部１３８に入射する。全ての各サブシャッタ部１３８は、開放状態となっているため、入射した光は、それらサブシャッタ部１３８を通過して、観視者３００に到達する。一方、機械式メータ２００からの光は、ＥＬディスプレイパネル１４０において、各透明部１２２をそれぞれ透過する。しかし、バリア１３０において、対応するメインシャッタ部１３６は、全て、遮断状態となっているため、ＥＬディスプレイパネル１４０を透過した光は、バリア１３０において、遮断されてしまい、観視者３００には到達しない。
【０１１０】
従って、このようなＥＬ表示モードでは、観視者３００であるドライバから見ると、ＥＬディスプレイパネル１４０に表示されたカラー画像を、バリア１３０を通して見ることができるが、ＥＬディスプレイパネル１４０の後方にある機械式メータ２００の表示は、１３０で遮られて見ることができない。尚、メインシャッタ部１３６及びサブシャッタ部１３８は、それぞれ、開放状態になるように制御してもよい。このようにすることにより、観視者３００であるドライバから見ると、ＥＬディスプレイパネル１４０に表示されたカラー画像を見ることができる他、ＥＬディスプレイパネル１４０を透かして、ＥＬディスプレイパネル１４０の後方にある機械式メータ２００の表示を重ねて見ることができる。
【０１１１】
Ｂ−３−２．メータ表示モード：
一方、コントローラ１７０’は、入力されるモード切換信号１７２がメータ表示モードを示している場合には、バリア駆動信号１７５によって、バリア１３０に対し、各サブシャッタ部１３８が、それぞれ、遮断状態になり、各メインシャッタ部１３６が、それぞれ、開放状態になるように制御する。また、コントローラ１７０’は、パネル駆動信号１７８によって、ＥＬディスプレイパネル１４０に対し、ＲＧＢの各画像表示要素部１２８Ｒ，１２８Ｇ，１２８Ｂが、それぞれ、対応する色での発光を停止して、画像の表示を停止するように制御する。
【０１１２】
この結果、図１２に示すように、機械式メータ２００からの光は、ＥＬディスプレイパネル１４０において、各透明部１２２をそれぞれ透過する。バリア１３０において、対応するメインシャッタ部１３６は、全て、開放状態となっているため、ＥＬディスプレイパネル１４０を透過した光は、それらメインシャッタ部１３６通過して、観視者３００に到達する。一方、ＥＬディスプレイパネル１４０において、ＲＧＢの各画像表示要素部１２８Ｒ，１２８Ｇ，１２８Ｂによる画像の表示も停止している。さらに、バリア１３０において、サブシャッタ部１３８は、全て、遮断状態になっているため、機械式メータ２００からＥＬディスプレイパネル１４０を透過した光以外は、サブシャッタ部１３８で、遮断されることになる。
【０１１３】
従って、このようなメータ表示モードでは、観視者３００であるドライバから見ると、ＥＬディスプレイパネル１４０の表示画像が消え、バリア１３０，ＥＬディスプレイパネル１４０を透かして、ＥＬディスプレイパネル１４０の後方にある機械式メータ２００の表示を見ることができる。
【０１１４】
Ｂ−４．実施例の効果：
以上説明したように、本実施例によれば、ＥＬ表示モード時では、バリア１３０において、画像表示要素部１２０に対応するサブシャッタ部１３８が開放状態にあるため、そのサブシャッタ部１３８は、ＲＧＢの各画像表示要素部１２８Ｒ，１２８Ｇ，１２８Ｂからの光を、通過させるが、透明部１２２に対応するメインシャッタ部１３６は遮断状態にあるため、そのメインシャッタ部１３６は、機械式メータ２００から透明部１２２を透過した光を、遮断することになる。従って、観視者３００であるドライバから見た場合に、ＥＬディスプレイパネル１４０に表示された画像は、バリア１３０を通して見えるが、ＥＬディスプレイパネル１４０の後方にある機械式メータ２００の表示は、バリア１３０に遮られて見えなくなるため、ＥＬディスプレイパネル１４０に表示される画像を見やすくすることができる。また、この際、ＥＬディスプレイパネル１４０におけるＲＧＢの各画像表示要素部１２８Ｒ，１２８Ｇ，１２８Ｂは、対応する色を発光するため、ＥＬディスプレイパネル１４０に表示される画像を明るく見せることができる。
【０１１５】
また、メータ表示モード時では、バリア１３０において、透明部１２２に対応するメインシャッタ部１３６が開放状態になるため、そのメインシャッタ部１３６は、機械式メータ２００から透明部１２２を透過した光を、通過させることになる。観視者３００であるドライバから見た場合に、ＥＬディスプレイパネル１４０の後方にある機械式メータ２００の表示を透かして見ることができる。一方、画像表示要素部１２０に対応するサブシャッタ部１３８は遮断状態になるため、機械式メータ２００からＥＬディスプレイパネル１４０を透過した光以外は、バリア１３０で遮られるため、不要な光が観視者３００に到達しないようにすることができる。また、この際、ＥＬディスプレイパネル１４０におけるＲＧＢの各画像表示要素部１２８Ｒ，１２８Ｇ，１２８Ｂによる発光を停止することにより、ＥＬディスプレイパネル１４０の後方にある機械式メータ２００の表示をより見やすくすることができる。
【０１１６】
さらに、本実施例によれば、表示装置１００’がハーフミラーを用いていないため、表示装置１００’自体の奥行きを短くすることができ、表示装置１００’の占めるスペースを小さくすることができる。
【０１１７】
また、本実施例によれば、ＥＬディスプレイパネル１４０を用いることにより、バックライト１５０が不要となるため、その分、さらに、表示装置１００’自体の奥行きを短くすることができ、表示装置１００’の占めるスペースを小さくすることができる。
【０１１８】
Ｃ．変形例：
なお、本発明は上記した実施例や実施形態に限られるものではなく、その要旨を逸脱しない範囲において種々の態様にて実施することが可能である。
【０１１９】
Ｃ−１．変形例１：
上記した各実施例では、表示装置を、車載用の表示装置として、車両のインストルメントパネルにおいて、機械式メータ２００の前方に取り付けるようにしていたが、本発明はこれに限定されるものではなく、例えば、パチンコやスロットマシーンやゲーム機などの遊技装置の表示装置として用いるようにしてもよい。また、本発明の表示装置を、窓に取り付けて、背景表示モード（上記したメータ表示モードに相当）の際に、表示装置の後方にある窓の外の風景を、透かして見せるようにしてもよい。
【０１２０】
Ｃ−２．変形例２：
上記した第１の実施例では、図５に示したように、液晶ディスプレイパネル１１０において、ＲＧＢに対応する３つの画像表示要素部１２０と、３つの透明部１２２と、によって構成される画素は、各々、正方形（正方画素）を成すようにしていたが、本発明はこれに限定されるものではない。
【０１２１】
図１３は、変形例としての液晶ディスプレイパネル１１０を観視者３００側から見て示した説明図である。液晶ディスプレイパネル１１０では、例えば、図１３に示すように、各画像表示要素部１２０及び各透明部１２２の垂直方向の長さを、それぞれ、２倍に延ばして、ＲＧＢに対応する３つの画像表示要素部１２０と、３つの透明部１２２と、によって構成される画素が、各々、縦長の長方形（縦長画素）を成すようにしていてもよい。
【０１２２】
また、上記した第１の実施例では、図５に示したように、液晶ディスプレイパネル１１０において、複数の画像表示要素部１２０と複数の透明部１２２とは、面方向において互いに市松状に並んでおり、ＲＧＢの各色フィルタ１２４Ｒ，１２４Ｇ，１２４Ｂが、面方向において、それぞれ、均等に分散されるように、配置されていたが、本発明はこれに限定されるものではない。
【０１２３】
図１４〜図１６は、それぞれ、変形例としての液晶ディスプレイパネル１１０を観視者３００側から見て示した説明図である。液晶ディスプレイパネル１１０では、例えば、図１４に示すように、複数の画像表示要素部１２０と複数の透明部１２２とを、互いに縦長のストライプ状に並ぶように配置してもよい。また、図１５に示すように、複数の画像表示要素部１２０と複数の透明部１２２とを、互いに横長のストライプ状に並ぶように配置してもよい。また、図１６に示すように、ＲＧＢに対応する３つの画像表示要素部１２０をひとまとまりとし、３つの透明部１２２をひとまとまりとし、その両者が互いに市松状に並ぶように配置してもよい。
【０１２４】
なお、図１３〜図１６に示した各変形例は、それぞれ、第２の実施例における各構成に対しても、同様に適用できることは、言うまでもない。
【０１２５】
Ｃ−３．変形例３：
上記した第１の実施例では、バックライト１５０として、各発光部１５６をＥＬデバイスで構成した光源を用いていたが、本発明はこれに限定されるものではなく、例えば、導光板を用いるようにしてもよい。導光板とは、例えば、光源からアクリル内に導かれた光をアクリルの全反射を用いてアクリル全面に導き、反射ドットに当たった光がその進路を変え、全反射角よりも小さい角度になった光がアクリル面から出てくることを利用して、反射ドットを適正に配置することにより、アクリル面の所望の位置から光を照射し得るようにしたものである。
【０１２６】
Ｃ−４．変形例４：
上記した各実施例では、表示パネルとして、液晶ディスプレイパネル１１０やＥＬディスプレイパネル１４０を用いるようにしたが、本発明はこれに限定されるものではなく、例えば、表面電界ディスプレイ（Surface-conduction Electron-emitter Display：ＳＥＤ）を用いるようにしてもよい。
【０１２７】
Ｃ−５．変形例５：
上記した各実施例では、液晶ディスプレイパネル１１０やＥＬディスプレイパネル１４０における透明部１２２を、透明な樹脂やガラスで構成するようにしていたが、本発明はこれに限定されるものではなく、液晶及び配向膜などによって構成するようにしてもよい。この場合、背面から前面へ光を通過させるように、その部分を常に開放状態になるようにしておけばよい。
【０１２８】
Ｃ−６．変形例６：
上記した第１の実施例では、メータ表示モードの際、コントローラ１７０によって、バリア１３０におけるメインシャッタ部１３６は開放状態になるように、サブシャッタ部１３８は遮断状態になるように、それぞれ制御され、液晶ディスプレイパネル１１０における画像表示要素部１２０は、画像の表示を停止するよう制御されていたが、本発明はこれに限定されるものではない。
【０１２９】
例えば、コントローラ１７０が、バリア１３０におけるメインシャッタ部１３６及びサブシャッタ部１３８を、それぞれ、遮断状態になるように制御してもよい。このように制御した場合、機械式メータ２００からの光は、バックライト１５０における各透明部１５８をそれぞれ透過し、液晶ディスプレイパネル１１０における各透明部１２２をそれぞれ透過するものの、バリア１３０において、全てのメインシャッタ部１３６及び全てのサブシャッタ部１３８は、遮断状態となっているため、バックライト１５０，液晶ディスプレイパネル１１０を透過した光は、バリア１３０において、完全に遮断されてしまい、観視者３００には一切到達しない。
【０１３０】
従って、例えば、このような表示装置を、上述したように、窓に取り付けた場合、上記したモードでは、表示装置を前面から見た場合に、表示装置の後方にある窓の外の風景も見えなくなり、あたかも、ブラインドを下ろしたような効果を期待できる。
【０１３１】
また、例えば、メータ表示モードの際に、コントローラ１７０が、バリア１３０におけるメインシャッタ部１３６及びサブシャッタ部１３８を、それぞれ、開放状態になるように制御してもよい。このように制御した場合、機械式メータ２００からの光は、バックライト１５０における各透明部１５８をそれぞれ透過し、液晶ディスプレイパネル１１０における各透明部１２２をそれぞれ透過して、バリア１３０に入射する。バリア１３０では、全てのメインシャッタ部１３６及び全てのサブシャッタ部１３８は、開放状態となっているため、入射した光は、それらメインシャッタ部１３６及びサブシャッタ部１３８を通過して、観視者３００に到達する。
【０１３２】
従って、表示装置を前面から見た場合に、機械式メータ２００の表示をより明るく見せることができる。
【０１３３】
なお、後者の場合、バリア１３０におけるサブシャッタ部１３８は、液晶表示モード時でも、メータ表示モード時でも、常に開放状態となって、バリア１３０の背面から前面への光を通過させることになる。従って、そのような場合には、バリア１３０において、サブシャッタ部１３８を、透明な樹脂やガラスなどから成る透明部で置き換えるよう、構成してもよい。
【０１３４】
また、この変形例６は、第２の実施例における構成に対しても、同様に適用できることは、言うまでもない。
【０１３５】
Ｃ−７．変形例７：
上記した第１の実施例では、バリア１３０において、メインシャッタ部１３６は、液晶表示モードの際に、遮断状態となり、メータ表示モードの際には、開放状態になるように制御されている。しかしながら、メインシャッタ部１３６が、開放状態と遮断状態との切り換えだけでなく、その間の中間的な状態、すなわち、中間調を表現できるように構成してもよい。その場合には、例えば、液晶表示モードの際に、メインシャッタ部１３６を、必要に応じて、中間的な状態になるように制御するようにすれば、液晶ディスプレイパネル１１０に表示された画像だけでなく、バックライト１５０の後方にある機械式メータ２００の表示も透かしてみせることができる。
【０１３６】
また、上記した第１の実施例では、バリア１３０において、各メインシャッタ部１３６は、液晶表示モードの際に、それぞれ一斉に遮断状態となり、メータ表示モードの際には、それぞれ一斉に開放状態になるように制御されている。従って、各メインシャッタ部１３６は、それぞれ、独立に制御できるようになっていなくてもよい。
【０１３７】
しかしながら、各メインシャッタ部１３６が、それぞれ、独立に制御可能であり、しかも、中間調を表現できるように構成されていれば、コントローラ１７０に画像信号１７４とは別の画像信号を入力することにより、その画像信号に応じて、各メインシャッタ部１３６により、モノクロの画像を表示させることも可能である。
【０１３８】
なお、以上のことは、メインシャッタ部１３６に限らず、サブシャッタ部１３８についても同様のことが言える。
【０１３９】
また、この変形例７は、第２の実施例における構成に対しても、同様に適用できることは、言うまでもない。
【０１４０】
Ｃ−８．変形例８：
上記した第１の実施例では、液晶ディスプレイパネル１１０における画像表示要素部１２０と、バリア１３０におけるサブシャッタ部１３８とが、位置的にそれぞれ一対一に対応し、液晶ディスプレイパネル１１０における透明部１２２と、バリア１３０におけるメインシャッタ部１３６が、位置的にそれぞれ一対一に対応すると共に、液晶ディスプレイパネル１１０における画像表示要素部１２０と、バックライト１５０における発光部１５６とが、位置的にそれぞれ一対一に対応し、液晶ディスプレイパネル１１０における透明部１２２と、バックライト１５０における透明部１５８が、位置的にそれぞれ一対一に対応していた。また、上記した第２の実施例では、ＥＬディスプレイパネル１４０における画像表示要素部１２８Ｒ，１２８Ｇ，１２８Ｂと、バリア１３０におけるサブシャッタ部１３８とが、位置的にそれぞれ一対一に対応し、ＥＬディスプレイパネル１４０における透明部１２２と、バリア１３０におけるメインシャッタ部１３６が、位置的にそれぞれ一対一に対応していた。
【０１４１】
しかしながら、本発明は、このように一対一の対応に限定されるものではなく、一対多，多対一の対応であってもよい。
【０１４２】
Ｃ−９．変形例９：
上記した第１の実施例では、液晶ディスプレイパネル１１０における隣接画像表示要素部間の間隔は、バックライト１５０における隣接発光部間の間隔よりも、狭くなる（すなわち、２Ｄ＜２Ｅ）ように構成され、バリア１３０における隣接するサブシャッタ部間の間隔よりも、広くなるように構成されていたが、本発明はこれに限定されるものではなく、液晶ディスプレイパネル１１０における隣接画像表示要素部間の間隔は、バックライト１５０における隣接発光部間の間隔と等しくてもよいし、バリア１３０における隣接するサブシャッタ部間の間隔と等しくてもよい。
【０１４３】
なお、この変形例９は、第２の実施例における構成に対しても、同様に適用できることは、言うまでもない。
【０１４４】
Ｃ−１０．変形例１０：
上記した第１の実施例では、バリア１３０は、液晶ディスプレイパネル１１０の前方に配置されていたが、本発明はこれに限定されるものではなく、バリア１３０を、液晶ディスプレイパネル１１０とバックライト１５０との間に配置するようにしてもよいし、バックライト１５０の後方、すなわち、機械式メータ２００との間に配置するようにしてもよい。
【０１４５】
同様に、上記した第２の実施例でも、バリア１３０は、ＥＬディスプレイパネル１４０の前方に配置されていたが、本発明はこれに限定されるものではなく、バリア１３０を、ＥＬディスプレイパネル１４０の後方、すなわち、機械式メータ２００との間に配置するようにしてもよい。
【０１４６】
すなわち、バリア１３０は、少なくとも、メータ表示モード時において、メインシャッタ部１３６が、機械式メータ２００からの光を遮断して、観視者３００に到達しないように機能すればよいため、バリア１３０の配置場所は、上記の何れの場所であっても構わない。
【０１４７】
また、上記した第１の実施例では、液晶ディスプレイパネル１１０における隣接画像表示要素部間の間隔は、バリア１３０における隣接するサブシャッタ部間の間隔よりも、広くなるように構成されていたが、上述したように、バリア１３０が、液晶ディスプレイパネル１１０とバックライト１５０との間や、バックライト１５０の後方に配置される場合には、液晶ディスプレイパネル１１０における隣接画像表示要素部間の間隔は、バリア１３０における隣接するサブシャッタ部間の間隔よりも、狭いか、等しくなるように構成することが好ましい。
【０１４８】
同様に、上記した第２の実施例においても、ＥＬディスプレイパネル１４０における隣接画像表示要素部間の間隔は、バリア１３０における隣接するサブシャッタ部間の間隔よりも、広くなるように構成されていたが、上述したように、バリア１３０が、ＥＬディスプレイパネル１４０の後方に配置される場合には、ＥＬディスプレイパネル１４０における隣接画像表示要素部間の間隔は、バリア１３０における隣接するサブシャッタ部間の間隔よりも、狭いか、等しくなるように構成することが好ましい。
さらに、第２の実施形態における画像表示要素部１２８Ｒ，１２８Ｇ，１２８Ｂに設けられたＥＬデバイスの機械メータ２００側には、遮光層が設けられており、バリア１３０は、ＥＬデバイスと機械式メータ２００との間に設けられていてもよい。この場合には、バリア１３０にサブシャッタ部１３８を設けなくてもよい。また、バリア１３０は、メータ表示モードにおいて、メインシャッタ部１３６及びサブシャッタ部１３８をともに、光を通過させるように制御し、ＥＬ表示モードにおいて、メインシャッタ部１３６及びサブシャッタ部１３８をともに、光を遮断させるように制御してもよい。このようにすると、バリア１３０の制御が簡易になる。
また、第１の実施形態におけるバックライト１５０の発光部１５６の機械メータ２００側には、遮光層が設けられており、バリア１３０は、ＥＬデバイスと機械式メータ２００との間に設けられていてもよい。この場合も、バリア１３０にサブシャッタ部１３８を設けなくてもよいし、メインシャッタ部１３６及びサブシャッタ部１３８がともに、光を通過させる状態又は光を遮断する状態の何れかに制御されてもよい。
【図面の簡単な説明】
【０１４９】
【図１】本発明の第１の実施例としての表示装置を模式的に示した説明図である。
【図２】図１におけるバリア１３０，液晶ディスプレイパネル１１０及びバックライト１５０の断面を模式的に示した説明図である。
【図３】図１におけるバリア１３０，液晶ディスプレイパネル１１０及びバックライト１５０の断面を模式的に示した説明図である。
【図４】図２及び図３におけるバリア１３０を観視者３００側から見て示した説明図である。
【図５】図２及び図３における液晶ディスプレイパネル１１０を観視者３００側から見て示した説明図である。
【図６】図２及び図３におけるバックライト１５０を観視者３００側から見て示した説明図である。
【図７】図４のバリア１３０におけるメインシャッタ部１３６及びサブシャッタ部１３８と、図５の液晶ディスプレイパネル１１０における画像表示要素部１２０及び透明部１２２と、図６のバックライト１５０における発光部１５６及び透明部１５８と、の位置的な対応関係を示す説明図である。
【図８】図１の表示装置１００における液晶ディスプレイパネル１１０とバックライト１５０との間の距離や、バックライト１５０における隣接する発光部１５６間の間隔を決定する方法を説明するための説明図である。
【図９】図１の表示装置１００における液晶ディスプレイパネル１１０とバックライト１５０との間の距離や、バックライト１５０における隣接する発光部１５６間の間隔を決定する方法を説明するための説明図である。
【図１０】本発明の第２の実施例としての表示装置を模式的に示した説明図である。
【図１１】図１０におけるバリア１３０及びＥＬディスプレイパネル１４０の断面を模式的に示した説明図である。
【図１２】図１０におけるバリア１３０及びＥＬディスプレイパネル１４０の断面を模式的に示した説明図である。
【図１３】変形例としての液晶ディスプレイパネル１１０を観視者３００側から見て示した説明図である。
【図１４】変形例としての液晶ディスプレイパネル１１０を観視者３００側から見て示した説明図である。
【図１５】変形例としての液晶ディスプレイパネル１１０を観視者３００側から見て示した説明図である。
【図１６】変形例としての液晶ディスプレイパネル１１０を観視者３００側から見て示した説明図である。
【図１７】従来における車載用の表示装置を示す概略図である。
【符号の説明】
【０１５０】
１００…表示装置
１１０…液晶ディスプレイパネル
１１２…液晶層
１１４…フィルタ層
１１６，１１８…ガラス基板
１２０…画像表示要素部
１２２…透明部
１２４Ｒ，１２４Ｇ，１２４Ｂ…色フィルタ
１２５…透明部
１２６…液晶層
１２８Ｒ，１２８Ｇ，１２８Ｂ…画像表示要素部
１３０…バリア
１３２…液晶層
１３３，１３４…ガラス基板
１３６…メインシャッタ部
１３８…サブシャッタ部
１４０…ＥＬディスプレイパネル
１５０…バックライト
１５２…発光層
１５４…ガラス基板
１５６…発光部
１５８…透明部
１７０…コントローラ
１７２…モード切換信号
１７４…画像信号
１７５…バリア駆動信号
１７６…パネル駆動信号
１７７…ライト駆動信号
１７８…パネル駆動信号
１７８…ライト駆動信号
２００…機械式メータ
３００…観視者
３１０…観視面
９１０…表示装置
９１２…液晶ディスプレイパネル
９１４…ハーフミラー
９２０…機械式メータ
９３０…観視者
【図１】
2008112060.tif 000003
【図２】
2008112060.tif 000004
【図３】
2008112060.tif 000005
【図４】
2008112060.tif 000006
【図５】
2008112060.tif 000007
【図６】
2008112060.tif 000008
【図７】
2008112060.tif 000009
【図８】
2008112060.tif 000010
【図９】
2008112060.tif 000011
【図１０】
2008112060.tif 000012
【図１１】
2008112060.tif 000013
【図１２】
2008112060.tif 000014
【図１３】
2008112060.tif 000015
【図１４】
2008112060.tif 000016
【図１５】
2008112060.tif 000017
【図１６】
2008112060.tif 000018
【図１７】
2008112060.tif 000019